(57)【要約】      （修正有）【課題】輸送や保管等の際の室内機及び室外機の取り扱いが簡便な空調装置の室内機及び空調装置を提供する。【解決手段】空調装置の室内機２０は、壁面に取り付けられた据付板を介して被調和室の室内壁面に取り付けられる壁掛け型であって、外面を形成する筐体と、筐体内に横長方向に収容された横流ファンと、筐体内に収容された熱交換機と、を備え、筐体は、左右端部が梱包材４０が設けられた梱包状態における横幅寸法をほぼ７００〜７５０ｍｍであることを特徴とする。【選択図】図５
2009052850.tif 000002
【特許請求の範囲】
【請求項１】
壁面に取り付けられた据付板を介して被調和室の室内壁面に取り付けられる壁掛け型の空調装置の室内機であって、
外面を形成する筐体と、
前記筐体内に横長方向に収容された横流ファンと、
前記筐体内に収容された熱交換機と、を備え、
前記筐体は、梱包状態において少なくとも左右端部に梱包材が設けられ、前記梱包状態における横幅寸法がほぼ７００〜７５０ｍｍであることを特徴とする空調装置の室内機。
【請求項２】
壁面に取り付けられた据付板を介して室内壁面に取り付けられる壁掛け型の空調装置であって、
外面を形成する筐体と、前記筐体内に横長方向に収容された横流ファンと、前記筐体内に収容された熱交換機と、を有し、梱包状態において、前記筐体の少なくとも左右端部に梱包材が設けられる室内機と、
前記室内機と分離されて室外に配置される室外機であって、梱包状態において少なくとも上下面が梱包材に覆われる室外機と、
を備え、
前記梱包状態の前記室内機の横幅寸法と前記室外機の横幅寸法とがほぼ等しいことを特徴とする空調装置。
【発明の詳細な説明】
【技術分野】
【０００１】
本発明は、空調装置の室内機及び空調装置に関し、特に、輸送や保管の際の取り扱いを簡便化するものに関する。
【背景技術】
【０００２】
例えば家庭用に用いられる空調装置では、被調和室に配置される室内機と、屋外に配置される室外機とからなり、これら室内外機相互間に冷媒配管および電気配線が接続されるものが知られている（例えば、特許文献１参照）。このような空調装置は、省エネ法の規制対象であり、さらにそのＣＯ２排出削減が義務付けられている。所望のＣＯＰ（効率）を得るとともにランニングコストの低減を実現するため、室内機の内部に設けられる熱交換機は大型化する傾向にあり、熱交換器の大型化にともなって室内機本体も大型化する。
【０００３】
一般に、室内機本体は、その横幅が７９０ｍｍに構成されたものや、特に省エネを追及するために横幅を長くして８９０ｍｍにしたものが主流となっている。一方、室外機はその横幅の最大長が８４０ｍｍ（梱包寸法で８６０〜８８０ｍｍ）に構成されたものが主流となっている。室内機及び室外機は輸送時や保管時には梱包材に被覆された状態で取り扱われる。室内機に、例えば左右に２０ｍｍずつ程度の梱包材を適用すると、梱包状態での室内機の横幅は８３０ｍｍ程度となる。このような空調装置は、一般的にコンテナに収容されて輸送されるが、輸送に用いられる標準的なコンテナとして、その長さが２０ｆｔ（６０９６ｍｍ）のものが知られている。上記横幅が８３０ｍｍの梱包状態の室内機は、コンテナの長さ方向に、並列して７台収容可能であり、その場合には２８６ｍｍの余裕が生じることになる。
【０００４】
また、これらの空調装置は、出荷時等に輸送される際には、室内機と室外機とを対応させるために同数の室内外機が収容される。上記の通り、一般的に室外機は室内機よりも横幅が小さいため、対応する室内機と室外機とをセットとして積載した場合には大きな隙間が生じる。なお、室外機は金属製の筐体からなり、一方室内機は合成樹脂製の筐体であること、室外機の重量が室内機の重量の数倍あることから室外機の上に室内機が載置される。また、室内機と室外機との寸法の違いから、通常、保管の際には、室内機毎、室外機毎にそれぞれ別々に保管される。
【０００５】
【特許文献１】実登３００９０４６号公報
【発明の開示】
【発明が解決しようとする課題】
【０００６】
しかしながら、上記構成の空調装置においては、以下のような問題があった。すなわち輸送等の際に室内機をコンテナに収容した場合に大きな隙間が生じるため積載効率が低い。特に同じコンテナに室内機と室外機とを同数積載する場合にはそのサイズの違いから大きな隙間が生じるため、積載効率が低下する。一方、保管等の際に、室内機毎、室外機毎に区別して保管すると、双方の数の確認等に手間がかかる。したがって輸送や保管の際の室内機及び室外機の取り扱いが煩雑となる。
【０００７】
そこで本発明では、輸送や保管等の際の室内機及び室外機の取り扱いが簡便な空調装置の室内機及び空調装置を提供することを目的とする。
【課題を解決するための手段】
【０００８】
本発明の一形態に掛かる空調装置の室内機は、壁面に取り付けられた据付板を介して被調和室の室内壁面に取り付けられる壁掛け型の空調装置の室内機であって、外面を形成する筐体と、前記筐体内に横長方向に収容された横流ファンと、前記筐体内に収容された熱交換機と、を備え、前記筐体は、梱包状態において少なくとも左右端部に梱包材が設けられ、前記梱包状態における横幅寸法がほぼ７００〜７５０ｍｍであることを特徴とする。
【０００９】
本発明の一形態に掛かる空調装置は、壁面に取り付けられた据付板を介して室内壁面に取り付けられる壁掛け型の空調装置であって、外面を形成する筐体と、前記筐体内に横長方向に収容された横流ファンと、前記筐体内に収容された熱交換機と、を有し、梱包状態において、前記筐体の少なくとも左右端部に梱包材が設けられる室内機と、前記室内機と分離されて室外に配置される室外機であって、梱包状態において少なくとも上下面が梱包材に覆われる室外機と、を備え、前記梱包状態の前記室内機の横幅寸法と前記室外機の横幅寸法とがほぼ等しいことを特徴とする。
【発明の効果】
【００１０】
本発明によれば、輸送や保管等の際の室内機及び室外機の取り扱いが簡便となる。
【発明を実施するための最良の形態】
【００１１】
以下に本発明の一実施形態にかかる空調装置１０について、図１乃至図１２を参照して説明する。なお、各図において適宜構成を拡大、縮小、省略して示している。空調装置１０は、例えば家庭用の空気調和機であり、図１乃至図３に示す室内機２０と、図７及び図８等に示す室外機５０とを備えて構成されている。設置状態において、図３に示すように室内機２０が被調和室１１内の壁面１２に取り付けられるとともに、室外機５０が屋外の当該壁面１２の外側であってかつ室内機２０に近い位置（不図示）に据付けられている。室内機２０には後述する冷媒管や電源ケーブル２１等が接続されている。電源ケーブル２１はその先端にプラグが取り付けられており、このプラグは室内機の据付壁面近くに設けられるコンセントに差し込まれる。冷媒管は壁面１２から被調和室１１の外部へ突出し、室外機５０に連通される。
【００１２】
図１〜図３に示すように、室内機２０は、断面ほぼ円弧状をなす前面部２２、平面状に形成された左右両側面部２３、２４、上下面部２５，２６及び背面部２７を有する筐体２８を備えている。筐体２８は、上下方向に対し左右幅方向が長い横長状をなし、室内機２０の外面を形成している。
【００１３】
背面部２７の周端部が取付けねじなどの取付け具を介して据付板２９に取り付けられる。図４に示すように、据付板２９は、筐体に沿った所定形状を成すとともに取付孔２９ａを複数備え、室内の壁面１２上部に取付けられる。すなわち、筐体２８は、据付板２９を介して室内の壁面１２に取り付けられる。
【００１４】
横長形状の筐体２８は、後で詳述するように、被調和室１１の窓（不図示）の上部に配置できるとともに、梱包状態で２０ｆｔのコンテナ７０内に効率よく並列でき、かつ、所望の性能を維持できるような寸法に設定され、例えばその横幅寸法Ｗ１は７１０ｍｍ、高さ寸法Ｈ１は２６０ｍｍ、奥行き寸法Ｄ１＝２１０ｍｍに構成されている。
【００１５】
図３に示すように、筐体２８には吸込口３１が開口されている。室内機２０の内部には、前側熱交換器部３２と後側熱交換器部３３とで構成され略逆Ｖ字状であって側面視傘状に形成された熱交換器３４が配置される。前側熱交換器部３２は、前面部２２と間隙を存してほぼ平行な湾曲状に形成され、吸込口３１の一部に対向している。後側熱交換器部３３は、直状に形成され、斜めに傾斜した状態で吸込口３１の一部と対向している。
【００１６】
前側及び後側熱交換器部３２，３３の間の通風路３５に室内送風機を構成する横流ファン３７が設けられている。横流ファン３７が駆動されることで、室内の空気が図中矢印で示すように、吸込口３１から室内機２０内に吸込まれ、エアフィルタ、空気清浄ユニット及び熱交換器３４を流通し、さらに横流ファン３７を介して、筐体２８の下部に開口された吹出口３８から吹出されるように通風路３５が形成される。
【００１７】
図５及び図６に示すように、室内機２０は、搬送、輸送、保管等の取り扱いの際には梱包材４０で梱包された梱包状態となる。梱包状態では、図１及び図２に示す室内機２０の前面部２２、両側面部２３，２４、上下面部２５，２６、背面部２７が梱包材４０で覆われている。梱包材４０は、段ボールや発泡材からなる緩衝材及び外装材を備えて構成され、例えば左右両端部４３，４４においてはその厚さが２０ｍｍ程度に構成され、前面部４２、上下面部４５，４６、後面部４７における厚さは１０ｍｍ程度に構成されている。梱包状態における室内機２０は、梱包材４０を含めた横幅寸法Ｗ２が７５０ｍｍ、高さ寸法Ｈ２が２８０ｍｍ、奥行き寸法Ｄ２が２３０ｍｍ程度に構成される。
【００１８】
図７乃至図９に示す室外機５０は、前面部５２、左右の側面部５３，５４、上下面部５５，５６及び背面部５７を有する直方体状の筐体５８を備えている。室外機５０は、筐体５８の内部の一方側の熱交換室に室外熱交換器や送風機を備えるとともに、他方側の機械室に圧縮機、弁・冷媒配管類等を備えている。筐体５８の前面部５２には吹出口６１が設けられるとともに側面部５３，５４にはバルブ６２及びバルブカバー６３が設けられている。
【００１９】
直方体形状の筐体５８は、後述するように、室内機２０を上部に載置可能であって、梱包状態で２０ｆｔのコンテナ内に８列並列でき、かつ、所望の性能を維持できるような寸法に設定され、例えばその横幅寸法Ｗ３は７１０ｍｍ程度、高さ寸法Ｈ３は２６０ｍｍ程度、奥行き寸法Ｄ３は２３０ｍｍ程度に構成されている。
【００２０】
図９及び図１０に示すように、室外機５０は、搬送、輸送、保管等の取り扱いの際には梱包材６０で梱包される梱包状態となる。梱包状態の室外機５０は、その上下面部５５，５６及び前後側面部５２〜５４、５７の上下端部が、上下の梱包材６５，６６で覆われている。上部の梱包材６５は、上面部５５を覆う板状部分６５ａと、この周縁から下方に延び、前後側面部５２〜５４、５７の上端外周を囲う側周縁部分６５ｂとを有し、断面コ字状に構成されている。下部の梱包材６６も同様に板状部分６６ａと側周縁部分６６ｂとを有し、下面部５６と前後側面部５２〜５４、５７の下端外周を覆う断面コ字状に構成されている。各梱包材は、それぞれ段ボールや発砲材からなる緩衝材及び外装材を備え、その厚さは２０ｍｍ程度に構成されている。梱包状態における梱包材６０を含めた室外機５０の寸法は、横幅寸法Ｗ４が７５０ｍｍ、高さ寸法Ｈ４が６００ｍｍ、奥行き寸法Ｄ４が３００ｍｍ程度に構成される。ちなみに室外機５０そのものの寸法は、横幅寸法Ｗ４が７１０ｍｍ、高さ寸法が５４０ｍｍ、奥行き寸法が２６０ｍｍ程度である。
【００２１】
室内機２０及び室外機５０は、図１０に示すように梱包状態の室外機５０の上に梱包状態の室内機が載置され、紐状部材８０で周囲を束ねられた状態で固定され、保管される。
【００２２】
梱包状態の室内機２０は、輸送の際には、図１１に示されるように、長さＬ５＝２０ｆｔ（６０９６ｍｍ）のコンテナ７０内に、コンテナ７０の長さＬ方向にその幅方向が沿うように、８個ずつ並列されて収容される。
【００２３】
上記室内機２０及び室外機５０の寸法は、例えば国際輸送に標準的に用いられる２０ｆｔのコンテナ７０に効率よく収容することと、所望の性能を維持することを考慮して設定され、ここでは、横幅方向がコンテナ７０の長さ方向に沿うように８台並列できるように以下のように設定されている。
【００２４】
２０ｆｔのコンテナの長さは６０９６ｍｍであるため一台辺りのスペースの長さは６０９６ｍｍ／８台＝７６２ｍｍとなる。さらに積み込み時の位置決め（押し込み）用の余裕を１台当たり１０〜１５ｍｍ程確保すると、一台あたりの梱包状態の横幅寸法Ｗ２は７６２−１０＝７５２ｍｍ〜７６２−１５＝７４７ｍｍ程度となる。
【００２５】
室内機は、空調機としての性能を十分に発揮するために、熱交換機容積及び室内ファンの風量が要求される。また、壁面据付の壁掛け型の室内機では、標準的な家庭の窓枠上端と天井面との間に配置可能となるように、高さ方向の寸法は２６０ｍｍ以内であることが望ましい。一方で、据付板を介して取り付けられる構造の場合奥行き方向のサイズは小さい方が望ましい。
【００２６】
従来の一般的な室内機の寸法は、例えば横幅７９０ｍｍ、高さ２６０ｍｍ奥行き１７５ｍｍであり、体積は３５９４５ｃｍ３となる。なお、実際の室内機の外観は湾曲部分を有するかまぼこ状に形成されているがここでは簡略化して直方体として計算している。ここでは例として、この従来の室内機と同様の性能を維持するために同体積を確保することを基準とするとともに、窓枠上方に載置できるように高さ方向を２６０ｍｍに制限し、左右端を２０ｍｍの厚さを有する梱包材４０で覆うことを考慮する。梱包材４０の厚さを差し引くと室内機２０の横幅寸法Ｗ１は７１０ｍｍとなり、この横幅寸法Ｗ１と高さ寸法Ｈ１＝２６０ｍｍで体積３５９４５ｍｍ３を除すると、室内機２０の奥行き寸法Ｄ２は１９５ｍｍとなる。ここで、室内機２０内部に設けられた横流ファン３７はその長さ方向を延ばした場合に比べ、直径を大きく場合の風量増加の寄与度が低く、また、熱交換器３４は、横幅方向の長さを延ばした場合に比べ厚みを増した場合の熱交換量の増加割合が低い。したがって、一般的な室内機と同様の機能を果たすためには、体積を一定としても同性能は得られず、実際には奥行き寸法を２１０ｍｍ程度に大きくすることが必要となる。この値は据付板２９を介して壁面１２に取り付けられる場合にも許容できる値である。
【００２７】
一方、さらに積載効率を上げるためにコンテナ７０内に９台並列する場合について検討すると、一台あたりのスペースは６０９６／９台＝６７７ｍｍとなり、積み込み時の位置決め（押し込み）用の余裕を１台当たり１２ｍｍとすると梱包状態の室内機の一台あたりのスペースは６６５ｍｍとなる。ここで、室内機左右両端の各々の梱包材を最小値の１０ｍｍとして差し引くと、室内機の横幅寸法は６４５ｍｍとなる。横幅寸法を６４５ｍｍとした場合、上記と同様に、高さ寸法を２６０ｍｍに抑えるとともに、風量増加の寄与度や熱交換量の増加割合を考慮すると、上記一般的な従来の室内機と同様の機能を果たすためには、奥行き寸法が２４０ｍｍ程度必要となる。壁面１２に固定された据付板２９を介して取り付けられる壁掛け型の室内機の場合、奥行き寸法が大きくなると室内機の室内側の出っ張り部分が下方向に落下する方向のモーメントが増加し、取付状態を維持するための負担が増大してしまう。したがって、９台並列する場合の奥行き寸法２４０ｍｍでは、据付板２９を介して壁に取り付けられる壁掛け型の空調装置に適用することが難しい。
【００２８】
また、室内機２０は、梱包時には、図１２に示すように その背面に室外機との間の渡り配管に接続するための２本の補助配管２０ａ、２０ｂ及び冷房時に室内熱交換器に結露した水を排水するためのドレンホース２０ｃが、室内機２０の背面下部の空間に収納される。補助配管は、太いガス側補助配管２０ａと細い液側補助配管２０ｂとからなり、いずれもその先端に渡り配管と接続するためのフレアナット２０ｄが取り付けられている。一方ドレンホース２０ｃは、その先端が排水管に接続可能なように先細り形状になっている。
【００２９】
ここで、図３に示すように補助配管２０ａ、２０ｂ、ドレンホース２０ｃは、室内機２０の壁面設置時には壁１２に設けられた貫通孔１２ａを通って室外へと引き出される。その際、補助配管２０ａ、２０ｂの先端とドレンホース２０ｃの先端が壁の途中ではなく、室外側で渡り配管や配水管と接続されるように一般的な壁の厚みよりも長く延出されるだけの長さ、例えば３５０mm以上、とする必要がある。なお補助配管２０ａ、２０ｂは、一般的な冷媒配管に用いられる銅配管で、ドレンホースは合成樹脂からなり、いずれも容易に曲げることができる。
【００３０】
壁１２の貫通孔１２ａは、見栄えの点から、できるだけ小さくすることが望まれる。このため、補助配管２０ａ、２０ｂの先端とドレンホース２０ｃの先端のすべてを同じ長さに設定すると、補助配管２０ａの先端のフレアナット部分の直径が大きいため、壁１２の貫通孔１２ａを通すことが困難となる。そこで、図１２に示すように２本の補助配管２０ａ、２０ｂ及びドレンホース２０ｂのすべての長さを異ならせ、それぞれのパイプが太くなる位置を異ならせるようにしている。
【００３１】
一般に、ドレンホース２０ｂが最も安価であるため、ドレンホース２０ｃを最も長くし、続いて液側の補助配管２０ｂを長くし、ガス側の補助配管２０ａを最も短くする。そして、各長さの差は、配管、パイプ接続作業を容易にするとともに、接続した時に接続部分の太くなる位置がずれるような寸法に設定される。この結果、ガス側の補助配管２０ａの長さは３５０ｍｍ、液側の補助配管２０ｂは４６０ｍｍ、ドレンホース２０ｃは５７０ｍｍ程度に設定される。
【００３２】
一方、室内機２０の一側端には、室内ファンモータや制御回路を構成する電気部品を収納する収納部２０ｅがあり、この部分の寸法が１００ｍｍ程度ある。各補助配管２０ａ、２０ｂ及びドレンホース２０ｃは、この収納部２０ｅを避け、その根元端部が、収納部２０ｅよりも中央側に寄った位置になる。このため、最も長いドレンホース２０ｃの先端は、少なくとも収納部２０ｅ側の室内機２０の側面から６７０ｍｍの位置になる。
【００３３】
したがって、室内機の横幅寸法は、このドレンホース２０ｃの収納を考慮すると最低で６８０ｍｍは必要となる。
【００３４】
以上を考慮すると、梱包状態の室内機２０の横幅寸法Ｗ２は、コンテナに８台並列できる最大値の７６２ｍｍ以下である。さらに積み込み時の位置決め（押し込み）用の余裕を考慮し、この余裕を１０ｍｍ〜１５ｍｍ確保するとともにできるだけ性能を向上させるためには、横幅寸法Ｗ２を７５２ｍｍ以下とすることが望ましい。また、ドレンホース２０ｃの収納を考慮すると、横幅寸法Ｗ２は、７００ｍｍ（６８０ｍｍ＋梱包寸法１０ｍｍ＊２）以上とすべきである。
【００３５】
一方で、室外機５０にこの室内機２０を上に載置できるとともに同数積載した場合の積載効率を考慮すれば、室外機５０の梱包時の横幅寸法Ｗ４は、室内機２０の梱包時の横幅寸法Ｗ２とほぼ同じ長さ又は少し大きく設定することが望ましく、室外機５０の奥行き寸法Ｄ４も、室内機２０の奥行き寸法Ｄ２とほぼ同じ寸法又は少し大きく設定することが望ましい。なお、本実施形態では一例として積載作業用の余裕を１２ｍｍ確保して室内機２０の梱包状態の横幅寸法Ｗ２を７５０ｍｍとした場合を説明した。
【００３６】
本実施形態にかかる空調装置１０は以下に掲げる効果を奏する。すなわち、室内機２０の梱包状態の横幅寸法Ｗ２を７５０ｍｍとしたため、輸送の際に、２０ｆｔのコンテナ７０内に無駄な隙間が生じず、効率よく積載できる。すなわち、コンテナ７０の内部に生じる隙間は一台あたり１２ｍｍ程度であって、出し入れに必要な最小限の寸法となるため、積載作業の効率と、積載効率とを両立することができる。
【００３７】
一方、室内機２０の梱包状態の横幅寸法Ｗ２は、室内機の性能と寸法の関係及びドレンホース２０ｃの収納を考慮すると最低で７００ｍｍは必要となる。したがって、最適な室内機の梱包状態の横幅寸法は、ほぼ７００〜７５０ｍｍとなる。
【００３８】
また、室外機５０の梱包状態の寸法を室内機２０の寸法に揃えたため、室内機２０を室外機５０の上に載置してまとめて保管することが容易となるとともに、同コンテナに同数配置した場合に余計な隙間が生じず、積載効率が向上する。したがって、輸送や保管等の際に室内機２０及び室外機５０の取り扱いが簡便となる。
【００３９】
なお、本発明は上記各実施形態に限定されるものではなく、本発明を実施するにあたり、各構成部材の方向、材質、数、具体的な形状など、本発明の構成要素を発明の要旨を逸脱しない範囲で種々に変更して実施できる。
【図面の簡単な説明】
【００４０】
【図１】本発明の第１実施形態に係る室内機の正面図。
【図２】同室内機の側面図。
【図３】同室内機の断面図。
【図４】同実施形態に係る据付板の正面図。
【図５】梱包状態の同室内機を梱包材を一部切欠及び分解して示す斜視図。
【図６】梱包状態の同室内機を示す斜視図。
【図７】本発明の第１実施形態に係る室外機の正面図。
【図８】同室外機の側面図。
【図９】梱包状態の同室外機を示す斜視図。
【図１０】本発明の第１実施形態に係る室内機及び室外機の積載状態を示す斜視図。
【図１１】同室内機が収容されたコンテナを示す斜視図。
【図１２】同室内機の設置前の背面図。
【符号の説明】
【００４１】
１０…空調装置、１１…被調和室、１２…壁面、２０…室内機、２８…筐体、
２９…据付板、３４…熱交換器、３７…横流ファン、４０…梱包材、５０…室外機、
５８…筐体、６０…梱包材、７０…コンテナ、Ｗ１，Ｗ２，Ｗ３，Ｗ４…横幅寸法、
Ｈ１，Ｈ２，Ｈ３，Ｈ４…高さ寸法、Ｄ１，Ｄ２，Ｄ３，Ｄ４…奥行き寸法。
【図１】
2009052850.tif 000003
【図２】
2009052850.tif 000004
【図３】
2009052850.tif 000005
【図４】
2009052850.tif 000006
【図５】
2009052850.tif 000007
【図６】
2009052850.tif 000008
【図７】
2009052850.tif 000009
【図８】
2009052850.tif 000010
【図９】
2009052850.tif 000011
【図１０】
2009052850.tif 000012
【図１１】
2009052850.tif 000013
【図１２】
2009052850.tif 000014